(57)【要約】【課題】マッサージ本体部の装置本体への取付を確実に行いつつ、このマッサージ本体部の清浄度を保持する作業の省力化を行うことの可能な射精促進装置を提供すること。【解決手段】エラストマーからなるマッサージ本体部１０及びこのマッサージ本体部１０を装置本体２に取り付ける硬質部材からなる取付部１１を有するマッサージ部３と、マッサージ本体部１０の少なくとも一部を略一方向に沿って往復動させる駆動部２０を有する装置本体２とを有する。マッサージ本体部１０は一方向に沿って延びる外形を有し、さらに、その一端部に形成された開口１０ｄから一方向に沿って延びる中空部１０ｅを有し、取付部１１はマッサージ本体部１０の開口１０ｄの周縁部に設けられ、この開口１０ｄの周縁部に固定されており、さらに、取付部１１は、一方向に直交する方向に分割された複数の分割取付部１１ａ、１１ｂを有する。【選択図】  図５
2018191988.tif 000002
【特許請求の範囲】
【請求項１】
エラストマーからなるマッサージ本体部及びこのマッサージ本体部を装置本体に取り付ける硬質部材からなる取付部を有するマッサージ部と、このマッサージ部が取り付けられ、前記マッサージ本体部の少なくとも一部を略一方向に沿って往復動させる駆動部を有する前記装置本体とを有する射精促進装置であって、
前記マッサージ本体部は前記一方向に沿って延びる外形を有し、さらに、その一端部に形成された開口から前記一方向に沿って延びる中空部を有し、
前記取付部は前記マッサージ本体部の前記開口の周縁部に設けられ、この開口の周縁部に固定されており、さらに、
前記取付部は、前記一方向に直交する方向に分割された複数の分割取付部を有することを特徴とする射精促進装置。
【請求項２】
前記分割取付部は、互いに所定の間隙をもって前記開口の周縁部に設けられていることを特徴とする請求項１に記載の射精促進装置。
【請求項３】
前記分割取付部は略円弧状の外形を有することを特徴とする請求項２に記載の射精促進装置。
【請求項４】
前記装置本体は、その一端部に設けられて前記分割取付部が係合される略円弧状の係合部と、前記一端部に設けられた第１の磁性部材と、前記第１の磁性部材と対向する位置に設けられた第２の磁性部材を備え、前記係合部に前記取付部が係合された状態でこれら第１及び第２の磁性部材相互の磁力により前記取付部の前記一方向に沿った移動を規制する蓋部とを有することを特徴とする請求項３に記載の射精促進装置。
【発明の詳細な説明】
【技術分野】
【０００１】
この発明は、エラストマーからなるマッサージ本体部を有するマッサージ部と、このマッサージ部が取り付けられ、マッサージ本体部の少なくとも一部を略一方向に沿って往復動させる駆動部を有する装置本体とを有する射精促進装置に関する。
【背景技術】
【０００２】
夫婦間の不妊の原因を究明するために、採取した精子から夫の性機能を検査し、性機能障害を治療し、また、人工授精のために精子を確保、保管する等の医学的な必要性の観点から、男性の射精を人工的に促進させる射精促進装置が従来から知られている。
【０００３】
また、個人的な性的欲求を解消させることによる性犯罪の予防、売春防止、性病感染者数の減少等の種々の社会的なニーズを満たすためにも射精促進装置が使用されている。
【０００４】
かかる背景に鑑み、本出願人は先に、射精効率を上げることができる機械式、電動式の射精促進装置を提案した（特許文献１参照）。
【０００５】
特許文献１に開示された射精促進装置は、樹脂により伸縮可能とされたマッサージ部と、このマッサージ部が収容された収容体と、マッサージ部の前部側を収容体に固定する固定手段と、固定手段により収容体に固定されたマッサージ部を前後方向に伸縮させる駆動手段とを備える。
【０００６】
より詳細には、マッサージ部は前面が開口した筒状に形成され、このマッサージ部の前部には円環状の取付部が設けられ、この取付部が固定手段により装置本体のホルダーに着脱自在に固定されている。固定手段は円環状のマッサージ部固定リングを有し、このマッサージ部固定リングによりマッサージ部の取付部が挟持されることで、マッサージ部を固定している。
【先行技術文献】
【特許文献】
【０００７】
【特許文献１】特開２０１４−４２９２号公報
【発明の概要】
【発明が解決しようとする課題】
【０００８】
マッサージ部にはペニスが挿入されて射精が促進される。従って、このマッサージ部内には射精後の精液が収容される。マッサージ部は繰り返し使用が可能であるので、衛生面の観点から、このマッサージ部内は使用後に洗浄等を行って清浄度を保つことが好ましい。
【０００９】
しかしながら、上述の従来の射精促進装置では、マッサージ部の前部に円環状の取付部が設けられているので、マッサージ部を装置本体に確実に固定する観点からこの取付部を硬質部材により形成した場合、マッサージ部の内部を裏返して洗浄する作業がしづらい。このため、マッサージ部、特にその内部の清浄度を保持する作業に手間がかかっていた。
【００１０】
そこで、この発明は、マッサージ本体部の装置本体への取付を確実に行いつつ、このマッサージ本体部の清浄度を保持する作業の省力化を行うことの可能な射精促進装置を提供することを目的とするものである。
【課題を解決するための手段】
【００１１】
この目的を達成するため、この発明は、エラストマーからなるマッサージ本体部及びこのマッサージ本体部を装置本体に取り付ける硬質部材からなる取付部を有するマッサージ部と、このマッサージ部が取り付けられ、マッサージ本体部の少なくとも一部を略一方向に沿って往復動させる駆動部を有する装置本体とを有する射精促進装置において、マッサージ本体部は一方向に沿って延びる外形を有し、さらに、その一端部に形成された開口から一方向に沿って延びる中空部を有し、取付部はマッサージ本体部の開口の周縁部に設けられ、この開口の周縁部に固定されており、さらに、取付部は、一方向に直交する方向に分割された複数の分割取付部を有することを特徴とする。
【００１２】
ここで、分割取付部は、互いに所定の間隙をもって開口の周縁部に設けられているとよい。
【００１３】
また、分割取付部は円弧状の外形を有するとよい。
【００１４】
さらに、装置本体は、その一端部に設けられて分割取付部が係合される略円弧状の係合部と、この一端部に設けられた第１の磁性部材と、第１の磁性部材と対向する位置に設けられた第２の磁性部材を備え、係合部に取付部が係合された状態でこれら第１及び第２の磁性部材相互の磁力により取付部の一方向に沿った移動を規制する蓋部とを有するとよい。
【発明の効果】
【００１５】
このような本発明の射精促進装置において、マッサージ本体部は一方向に沿って延びる外形を有し、さらに、その一端部に形成された開口から一方向に沿って延びる中空部を有し、取付部はマッサージ本体部の開口の周縁部に設けられ、この開口の周縁部に固定されており、さらに、取付部は、一方向に直交する方向に分割された複数の分割取付部を有する。
【００１６】
上記した構成なので、硬質部材からなる取付部を装置本体に取り付けることで、マッサージ本体部の装置本体への取付を確実に行うことができ、また、分割取付部を互いに離間させる方向に引っ張ればマッサージ本体部の開口を広げることができ、これにより、マッサージ本体部の中空部を構成する内壁を裏返して洗浄することができる。これにより、マッサージ本体部の清浄度を保持する作業の省力化を行うことができる。
【００１７】
ここで、分割取付部が、互いに所定の間隙をもって開口の周縁部に設けられている場合、分割取付部を互いに離間させる方向に引っ張ることでマッサージ本体部の開口をより広げることができ、これにより、マッサージ本体部の清浄度を保持する作業の省力化をさらに行うことができる。
【００１８】
また、分割取付部が円弧状の外形を有する場合、駆動部による往復動に伴ってマッサージ本体部に作用する力が分割取付部に略均等に作用するため、マッサージ本体部の装置本体への取付をより確実に行うことができる。
【００１９】
さらに、装置本体が、その一端部に設けられて分割取付部が係合される略円弧状の係合部と、この一端部に設けられた第１の磁性部材と、第１の磁性部材と対向する位置に設けられた第２の磁性部材を備え、係合部に取付部が係合された状態でこれら第１及び第２の磁性部材相互の磁力により取付部の一方向に沿った移動を規制する蓋部とを有する場合、係合部に取付部が係合された状態で蓋部を係合部に近接させると、第１及び第２の磁性部材相互の磁力により、取付部の一方向への移動が速やかに規制される。これにより、マッサージ本体部の装置本体への取付をより確実に行うことができるとともに、マッサージ本体部の装置本体への脱着作業を簡易に行うことができる。
【図面の簡単な説明】
【００２０】
【図１】一実施例の射精促進装置の外観を示す斜視図である。
【図２】一実施例の射精促進装置の外観を示す左側面図である。
【図３】一実施例の射精促進装置からマッサージ部を取り出した状態を示す斜視図である。
【図４】一実施例の射精促進装置から蓋部を取り除いた状態を示す斜視図である。
【図５】一実施例の射精促進装置を構成するマッサージ部を示す斜視図である。
【図６】一実施例の射精促進装置を構成するマッサージ部を示す斜視図である。
【図７】一実施例の射精促進装置のマッサージ部及び駆動部を取り出して示す斜視図である。
【図８】一実施例の射精促進装置のマッサージ部及び駆動部を取り出して示す正面図である。
【図９】図８の一部破断正面図である。
【図１０】一実施例の射精促進装置のマッサージ部及び駆動部を取り出して示す一部破断斜視図である。
【図１１】一実施例の射精促進装置のマッサージ部及び駆動部を取り出して示す一部破断上面図である。
【発明を実施するための形態】
【００２１】
以下、この発明の実施の形態を図面に基づいて説明する。
［一実施例］
【００２２】
図１は一実施例の射精促進装置の外観を示す斜視図、図２は一実施例の射精促進装置の外観を示す左側面図、図３は一実施例の射精促進装置からマッサージ部を取り出した状態を示す斜視図、図４は一実施例の射精促進装置から蓋部を取り除いた状態を示す斜視図である。
【００２３】
これら図１〜図４に示すように、本実施例の射精促進装置１は、装置本体２とこの装置本体２内に収納されたマッサージ部３とを有する。
【００２４】
装置本体２は、図１に最もよく示すように、一方向に沿って延在する外形を有する筐体４と、この筐体４の前部（図１において左斜め前部）に着脱自在に設けられた蓋部５とを有する。
【００２５】
なお、以下の説明において、図１に示すように、筐体４の延在方向に沿ってＸ軸を取り、このＸ軸に水平方向に直交する方向に沿ってＹ軸を取り、さらに、Ｘ軸に垂直方向に直交する方向に沿ってＺ軸を取る。そして、Ｘ軸の正方向を前、負方向を後ろ、Ｙ軸の正方向を右、負方向を左、Ｚ軸の正方向を上、負方向を下として説明を行う。
【００２６】
筐体４は中空状に形成され、この筐体４の内部には、図２及び図８〜図１１に示すように、後端に底を有する円筒状の収納筒６が、その前端部の開口６ａが筐体４の前端部に臨むようにして設けられている。そして、この収納筒６内にマッサージ部３が収納されている。
【００２７】
＜マッサージ部＞
マッサージ部３は、図５及び図６に詳細を示すように、エラストマーからなるマッサージ本体部１０と、このマッサージ本体部１０を装置本体２に取り付けるための硬質部材からなる取付部１１とを有する。なお、図５及び図６において、図示の関係上、上下方向と左右方向とが他の図と異なることに注意されたい。
【００２８】
マッサージ本体部１０は、筐体４と同様に前後方向に延びる外形を有する。このマッサージ本体部１０は、略円筒状に形成され、前後方向に延在する筒部１０ａと、この筒部１０ａの前端部に形成された円板状の取付板１０ｂと、筒部１０ａの側面から外方に向けて突設され、同様に前後方向に延在する板状の固定板１０ｃとを備える。
【００２９】
取付板１０ｂには、その略中央部に開口１０ｄが形成され、図９に示すように、この開口１０ｄから筒部１０ａの内方に向けて前後方向に延在して、筒部１０ａの後端部に底を有する中空部１０ｅが穿設されている。この中空部１０ｅは断面略円形に形成され、この中空部１０ｅを構成する内壁１０ｆには複数の襞１０ｇが形成されている。
【００３０】
固定板１０ｃは、図６に最もよく示すように、図５及び図６の水平方向（本実施例の説明では上下方向）に対称となる位置に一対形成されている。固定板１０ｃにはその厚さ方向に貫通する貫通孔１０ｈが複数穿設されているとともに、固定板１０ｃの図５及び図６において上面及び下面（図では上面のみ示している）には、この貫通孔１０ｈを補強するための、プラスチック等の硬質部材からなる補強板１２が固定されている。
【００３１】
これら筒部１０ａ、取付板１０ｂ及び固定板１０ｃは、例えばシリコンゴム等のエラストマーにより一体に形成されている。
【００３２】
取付部１１は、開口１０ｄの周縁部である取付板１０ｂの周囲に固定されている。この取付部１１は、この取付部１１を前後方向に直交する方向、図示例では左右方向に分割してなる、外形が円弧状に形成された分割取付部１１ａ、１１ｂを有し、この分割取付部１１ａ、１１ｂは取付板１０ｂの周縁部を前後方向に挟持することでこの取付板１０ｂに固定されている。
【００３３】
図５及び図６に最もよく示すように、分割取付部１１ａ、１１ｂは互いに所定の間隙をもって取付板１０ｂに固定されている。言い換えれば、分割取付部１１ａ、１１ｂの間には、取付板１０ｂの一部が露出され、かつ、分割取付部１１ａ、１１ｂにより挟持されていない伸縮部１０ｊが設けられている。
【００３４】
分割取付部１１ａ、１１ｂの前面には、同様に円弧状の係合凸部１１ｃ、１１ｄが前方に向けて突設され、また、後面にも同様に円弧状の係合凸部１１ｅ、１１ｆが後方に向けて突設されている。
【００３５】
分割取付部１１ａ、１１ｂは、例えばプラスチック等の硬質部材から形成されている。
【００３６】
マッサージ部３は、図３及び図１０、図１１に示すように、中空な外形円筒状に形成されて後端に底を有する固定筒１３を有する。この固定筒１３は、図１０及び図１１に示すように、装置本体２の収納筒６内に収納可能な寸法に形成されている。固定筒１３は、図３に最もよく示すように、図中左右方向に分割されて、それぞれが分割固定筒１３ａ、１３ｂを構成している。この分割固定筒１３ａ、１３ｂの内部には、図示を省略したピンが形成されており、このピンはマッサージ本体部１０の貫通孔１０ｈに挿通されている。これにより、固定筒１３とマッサージ本体部１０の筒部１０ａとは一体に移動可能にされている。
【００３７】
＜駆動部＞
装置本体２は、マッサージ本体部１０の少なくとも一部を前後方向に往復動させる駆動部２０を有する。
【００３８】
この駆動部２０は、図７〜図１１に示すように、基台２１の上部に取り付けられたギアモータ２２と、このギアモータ２２の駆動軸に固定された歯付プーリ２３と、基台２１の下部に駆動軸２４により回動自在に取り付けられた歯付プーリ２５と、これら歯付プーリ２３、２５に架け回された歯付ベルト２６と、歯付ベルト２６の張力調整のために基台２１に取り付けられたテンションプーリ２７と、駆動軸２４の歯付プーリ２５が固定された側と反対側に固定された図略の歯付プーリと、装置本体２の前部に回転自在に取り付けられた歯付プーリ２８と、これら歯付プーリ２８間に架け回された歯付ベルト２９と、上部が収納筒６の側面に固定され、下部が歯付ベルト２９に固定された往復部３０とを有する。
【００３９】
図７及び図８に示すように、収納筒６の外周には円筒状の外筒７が設けられ、この外筒７の下部に歯付プーリ２８が回転自在に取り付けられている。外筒７は、図略の固定手段により筐体４の前部に取り付けられている。
【００４０】
筐体４の下部には、この筐体４の前後方向に延びる矩形状のガイド板３１が設けられ、また、往復部３０の下部には、このガイド板３１に係合してガイド板３１の上面をスライドするガイド溝が形成されている。これにより、往復部３０は筐体４の前後方向に沿ってスライド自在とされている。
【００４１】
歯付ベルト２９には、収納筒６よりやや大径の円弧状に形成されたカウンターウェイト３２が固定されている。このカウンターウェイト３２には、後端部が基台２１に固定され、前端部が外筒７の下部に取り付けられた一対のガイド棒３３が貫通され、このガイド棒３３に沿ってカウンターウェイト３２が移動することで、その移動経路が筐体４の前後方向に規制されている。
【００４２】
なお、図示は省略しているが、本実施例の射精促進装置はギアモータ２２を所定のパターンで回動させる制御部を有し、この制御部から供給される駆動電力によりギアモータ２２が回転駆動される。また、図１に示すように、筐体４の上面には、射精促進装置の電源の入／切指示を行う電源スイッチ４０と、制御部に対して各種動作指令を行う動作指示スイッチ４１ａ〜４１ｄが設けられている。
＜係合部＞
【００４３】
図３に戻って、筐体４の前面には、マッサージ部３の分割取付部１１ａ、１１ｂと係合する係合凸部４ａ、４ｂが前方に向けて突設されている。この係合凸部４ａ、４ｂは円弧状に形成され、その径が分割取付部１１ａ、１１ｂの径よりやや大きく形成されている。
【００４４】
これにより、マッサージ部３が筐体４に取り付けられた際に、図４に示すように、係合凸部４ａ、４ｂの間に分割取付部１１ａ、１１ｂが嵌まり込む（係合される）ことで、分割取付部１１ａ、１１ｂの上下左右の位置が規制される。
【００４５】
また、マッサージ部３が筐体４に取り付けられると、マッサージ本体部１０の取付板１０ｂの後面が筐体４の前面に当接され、これにより、マッサージ部３の前後方向の位置が規制される。
【００４６】
さらに、図３に最もよく示すように、収納筒６の内面の一部には、内方に向かって突出する一対の係合爪部６ｂ、６ｃが形成されているとともに、分割固定筒１３ａ、１３ｂの外面には、この係合爪部６ｂ、６ｃに係合する一対の凹部１３ｃ（図３では一方の凹部１３ｃのみ図示している）が形成されている。
【００４７】
マッサージ部３が筐体４に取り付けられる際には、凹部１３ｃが係合爪部６ｂ、６ｃに係合しない位置となるように、マッサージ部３がその前後方向に延在する軸に沿って回動されて収納筒６内に収納される。その後、マッサージ本体部１０の取付板１０ｂの後面が筐体４の前面に当接されることでマッサージ部３の前後方向の位置が規制されたあと、マッサージ部３が回動されて凹部１３ｃが係合爪部６ｂ、６ｃに係合される。これにより、マッサージ部３が収納筒６に固定された状態で、このマッサージ部３が筐体４に取り付けられる。
【００４８】
なお、図４に示すように、マッサージ部３が収納筒６に固定された際に、マッサージ本体部１０の伸縮部１０ｊは係合凸部４ａ、４ｂの間に位置するように、分割取付部１１ａ、１１ｂ及び係合凸部４ａ、４ｂの取付、形成位置が調整されている。これにより、伸縮部１０ｊが存在しても分割取付部１１ａ、１１ｂの上下左右方向への移動が係合凸部４ａ、４ｂにより確実に規制され、マッサージ部３の筐体４への係合が確実とされる。
【００４９】
＜蓋部＞
上述した蓋部５は、図３及び図４に示すようにマッサージ部３が筐体４に取り付けられた後、マッサージ部３の取付部１１を覆い、かつ、マッサージ本体部１０の取付板１０ｂ（及び開口１０ｄ）を外方に露出させる形状に形成されている。より詳細には、蓋部５の中央部には略円形の開口５ａが形成され、この開口５ａからマッサージ本体部１０の取付板１０ｂが外方に露出される。
【００５０】
図８及び図９に示すように、外筒７の前端部上部には第２の磁性部材である永久磁石５０が設けられ、一方、蓋部５にも、図１及び図２に示すように、蓋部５が筐体４に取り付けられた状態でこの永久磁石５０に対向する位置に、第１の磁性部材である金属等の磁性体５１が設けられている。従って、図１０及び図１１に示すように、蓋部５が筐体４に取り付けられると、これら永久磁石５０及び磁性体５１相互の磁力によりこの蓋部５が筐体４の前部に係止されるとともに、係合凸部４ａ、４ｂ及び蓋部５によりマッサージ部３の取付部１１の前後方向への移動が規制される。
【００５１】
＜一実施例の動作及び効果＞
以上の構成を有する本実施例の射精促進装置１において、この射精促進装置１を動作させるには、まず、マッサージ部３を筐体４に取り付けた状態で、操作者が自身のペニスを開口１０ｄから中空部１０ｅ内に挿入する。
【００５２】
次いで、操作者が電源スイッチ４０を操作して射精促進装置１の電源をオンすると、制御部はギアモータ２２に駆動電力を供給することで、このギアモータ２２を所定の回転速度及び回転方向で回転駆動させる。
【００５３】
ギアモータ２２が回転駆動されることにより、このギアモータ２２の駆動軸に固定された歯付プーリ２３も同様に回転駆動され、この歯付プーリ２３の回転により歯付ベルト２６を介して歯付プーリ２５が回転駆動される。歯付プーリ２５の回転力は駆動軸２４を介して図略の歯付プーリに伝達され、この歯付プーリの回転により歯付ベルト２９を介して歯付プーリ２８が回転される。
【００５４】
歯付ベルト２９の前後方向への移動に伴い、往復部３０も前後方向に移動し、そして、この往復部３０に固定されている収納筒６も同様に前後方向に移動する。
【００５５】
上述したように、収納筒６は、その係合爪部６ｂ、６ｃが分割固定筒１３ａ、１３の凹部１３ｃに係合することにより、分割固定筒１３ａ、１３ｂに固定、係合されているので、収納筒６の前後方向への移動に伴い、分割固定筒１３ａ、１３ｂも同様に前後方向に移動する。
【００５６】
マッサージ本体部１０の固定板１０ｃは、固定筒１３に設けられた図略のピンが固定板１０ｃに穿設された貫通孔１０ｈに挿通されることで固定筒１３に固定されているので、固定筒１３の前後方向への移動によりマッサージ本体部１０の固定板１０ｃも前後方向に移動し、そして、この固定板１０ｃと一体に形成された筒部１０ａも前後方向に移動する。
【００５７】
一方、マッサージ部３の取付部１１及びこれに固定されたマッサージ本体部１０の取付板１０ｂは筐体４の前部に係合されているので、ギアモータ２２が回転駆動されても筐体４との相対的位置関係は変動しない。これにより、マッサージ部３のうち、マッサージ本体部１０の固定板１０ｃ及び筒部１０ａのみが筐体４内において前後方向へ移動する。
【００５８】
従って、マッサージ本体部１０の中空部１０ｅ内に挿入されたペニスの側部を襞１０ｇが移動してこのペニスに刺激を与え、射精を促進させる。
【００５９】
制御部は、ギアモータ２２の回転速度及び回転方向を所定のパターンに基づいて変化させる。これにより、マッサージ本体部１０の筒部１０ａが所定のパターンにより筐体４の前後方向に往復動され、ペニスに多様な刺激を与えることでさらに射精を促進させる。
【００６０】
射精が終了したら、操作者は電源スイッチ４０を操作して射精促進装置１の電源をオフする。射精促進装置１の電源がオフされることにより、ギアモータ２２の回転駆動が停止され、マッサージ本体部１０の筒部１０ａの前後方向への移動も停止される。
【００６１】
この後、操作者は自身のペニスを中空部１０ｅから抜き取り、蓋部５を筐体４から離間させた後でマッサージ部３を筐体４から取り外し、さらに、分割固定筒１３ａ、１３ｂを取り外すことでマッサージ本体部１０を固定筒１３から取り外す。
【００６２】
さらに、操作者は、分割固定筒１３ａ、１３ｂを互いに離間する方向に引っ張ると、これら分割固定筒１３ａ、１３ｂ間にあるマッサージ本体部１０の伸縮部１０ｊが引き伸ばされる。この状態で筒部１０ａの後端部を前方向に押し出せば、中空部１０ｅを裏返して内壁１０ｆを開口１０ｄから外方に露出させることができる。そして、操作者は、中空部１０ｅ内に収納された精液を洗い流すとともに、内壁１０ｆを含む中空部１０ｅ内を洗浄することができる。
【００６３】
その後、内壁１０ｆを開口１０ｄから内方に押し込めば、マッサージ本体部１０を図３及び図４に示す状態に戻すことができる。
【００６４】
以上説明したように、本実施例の射精促進装置１において、マッサージ本体部１０は前後方向に沿って延びる外形を有し、さらに、その前端部に形成された開口１０ｄから前後方向に沿って延びる中空部１０ｅを有し、取付部１１はマッサージ本体部１０の開口１０ｄの周縁部に設けられ、この開口１０ｄの周縁部に固定されており、さらに、取付部１１は、前後方向に直交する方向に分割された複数の分割取付部１１ａ、１１ｂを有する。
【００６５】
上記した構成なので、硬質部材からなる取付部１１を装置本体２に取り付けることで、マッサージ本体部１０の装置本体２への取付を確実に行うことができ、また、分割取付部１１ａ、１１ｂを互いに離間させる方向に引っ張ればマッサージ本体部１０の開口１０ｄを広げることができ、これにより、マッサージ本体部１０の中空部１０ｅを構成する内壁１０ｆを裏返して洗浄することができる。これにより、マッサージ本体部１０の清浄度を保持する作業の省力化を行うことができる。
【００６６】
ここで、分割取付部１１ａ、１１ｂが、互いに所定の間隙をもって開口１０ｄの周縁部に設けられているので、分割取付部１１ａ、１１ｂを互いに離間させる方向に引っ張ることでマッサージ本体部１０の開口１０ｄをより広げることができ、これにより、マッサージ本体部１０の清浄度を保持する作業の省力化をさらに行うことができる。
【００６７】
また、分割取付部１１ａ、１１ｂが円弧状の外形を有するので、駆動部２０による往復動に伴ってマッサージ本体部１０に作用する力が分割取付部１１ａ、１１ｂに略均等に作用するため、マッサージ本体部１０の装置本体２への取付をより確実に行うことができる。
【００６８】
さらに、装置本体２が、その前端部に設けられて分割取付部１１ａ、１１ｂが係合される略円弧状の係合凸部４ａ、４ｂと、装置本体２の前端部に設けられた永久磁石５０と、この永久磁石５０と対向する位置に設けられた磁性体５１を備え、係合凸部４ａ、４ｂに取付部１１が係合された状態でこれら永久磁石５０及び磁性体５１相互の磁力により取付部１１の前後方向に沿った移動を規制する蓋部５とを有するので、係合凸部４ａ、４ｂに取付部１１が係合された状態で蓋部５を係合凸部４ａ、４ｂに近接させると、永久磁石５０及び磁性体５１相互の磁力により、取付部１１の前後方向への移動が速やかに規制される。これにより、マッサージ本体部１０の装置本体２への取付をより確実に行うことができるとともに、マッサージ本体部１０の装置本体２への脱着作業を簡易に行うことができる。
【００６９】
（その他）
本発明の射精促進装置は、その細部が上述の各実施例に限定されず、本発明の要旨を変更しない範囲で適宜変更が可能である。一例として、装置本体、マッサージ部、マッサージ本体部の形状、構造は各実施例のそれに限定されず、種々の変形が可能である。
【符号の説明】
【００７０】
１    射精促進装置
２    装置本体
３    マッサージ部
４    筐体
４ａ、４ｂ  係合凸部（係合部）
５    蓋部
１０    マッサージ本体部
１０ａ  筒部
１０ｂ  取付板
１０ｃ  固定板
１０ｄ  開口
１０ｅ  中空部
１０ｆ  内壁
１０ｊ  伸縮部
１１    取付部
１１ａ、１１ｂ  分割取付部
２０    駆動部
２２    ギアモータ
５０    永久磁石（第１の磁性部材）
５１    磁性体（第２の磁性部材）
【図１】
2018191988.tif 000003
【図２】
2018191988.tif 000004
【図３】
2018191988.tif 000005
【図４】
2018191988.tif 000006
【図５】
2018191988.tif 000007
【図６】
2018191988.tif 000008
【図７】
2018191988.tif 000009
【図８】
2018191988.tif 000010
【図９】
2018191988.tif 000011
【図１０】
2018191988.tif 000012
【図１１】
2018191988.tif 000013